(57)【要約】      （修正有）【課題】室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体を提供する。【解決手段】鏡面体Ｍ１は、鏡本体１と、該鏡本体１の裏面部１ｂの左右両側部に垂直状に取り付けられる両面接着テープ付き２本の角柱２及び３と、該角柱２及び３に回転及び昇降可能に装着される２本の円筒パイプ４及び５と、該円筒パイプ４及び５の上端部に取り付けられた上部キャップ体４１及び５１と、角柱２及び３の下端部に嵌着された下部キャップ体２１及び３１とからなる固定手段と、調整手段である、角柱２及び３内に取り付けられ、鏡本体１の上端と天井面Ｓの高さＨ１を調整するコイルバネ９及び１０からなっている。【選択図】図１
0003149311.tif 000002
【実用新案登録請求の範囲】
【請求項１】
アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体と天井面との高さを調整する調整手段と、
を備えた、
ことを特徴とする、自立型室内用大型鏡面体。
【請求項２】
前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と、
からなることを特徴とする、請求項１に記載の自立型室内用大型鏡面体。
【請求項３】
前記鏡本体と天井面との高さ調整手段が、
前記円筒パイプ内に取り付けられ、下端部を前記角柱の下方部に係止されたコイルバネである、
ことを特徴とする、請求項１〜請求項２の何れかに記載の自立型室内用大型鏡面体。
【請求項４】
前記角柱は、前記鏡本体裏面部の左右両側部の端縁より内側に立設されている、
ことを特徴とする、請求項１〜請求項３の何れかに記載の自立型室内用大型鏡面体。
【請求項５】
前記円筒パイプの下端近傍には前記コイルバネに係止するための係止爪が形成されている、
ことを特徴とする、請求項１〜請求項４の何れかに記載の自立型室内用大型鏡面体。
【請求項６】
前記角柱及び円筒パイプの素材がアルミ材である、
ことを特徴とする、請求項１〜請求項５の何れかに記載の自立型室内用大型鏡面体。
【考案の詳細な説明】
【技術分野】
【０００１】  本考案は、自立型室内用大型鏡面体に係り、より詳しくは、例えば、ジャズダンス、エアロビック教室、ヨガ教室、スポーツジム又は、着物着付け教室等はもちろん、一般家庭住宅あるいは賃貸住宅等において、壁面に穴を穿設したり、釘や接着ボンド等を使うことなく、かつ脚体等を用いないで、天井面と床面を利用し、室内の所望場所に、鏡本体に取り付けられた円筒パイプ内のコイルバネの付勢力で簡便に設置できる、自立型室内用大型鏡面体に関する。
【背景技術】
【０００２】  本願考案者は、部品点数を少なく、全体の総重量を軽くし、狭い保管スペースですみ、適宜鏡本体と脚台を組立又は分解でき、移送作業も効率よくできる大型の鏡を提供するとして、「組立・分解簡便なキャスター付き鏡」（特願２００３−１２７５８０）を提案した（特許文献１）。しかし、特許文献１には各種の不具合があることが判明したので、その改善案として「組立・分解が簡便なキャスター付き大型鏡面体」（特願２００７−１１７７１１）を提案した（特許文献２）。【０００３】  しかしながら、特許文献１及び特許文献２の大きな問題点は、何れもキャスターを装着しているために、室内外での移動等には好適ではあるが、特に室内においては、左右のキャスターを装着する部材である逆Ｔ字状バーが、室内等における利用者の動作を制限するのみならず、該逆Ｔ字状バーに足が引っ掛かかり、転倒、負傷等の事故が発生する可能性がある。また逆Ｔ字状バーへの支柱取り付け、取り外し作業が面倒であり、車両等による搬送上の問題点も指摘される。さらに、格納倉庫等での収納スペースも大となっている等々の不具合が判明した。また近年、趣味の多様化や健康志向の高まり等に伴い、ジャズダンス、エアロビック教室、ヨガ教室、スポーツジム等において、また一般家庭住宅、あるいは賃貸住宅等においてもキャスター付き又は脚体がない大型鏡面体の設置を所望する傾向が顕著になっている。【０００４】
【特許文献１】特開２００４−２９８５８８号公報
【特許文献２】特開２００７−１９０４３７号公報
【考案の開示】
【考案が解決しようとする課題】
【０００５】  本考案が解決しようとする課題は、室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体を提供することにある。
【課題を解決するための手段】
【０００６】  本考案者は、上記従来技術が有する種々の問題点に鑑み、特に室内に設置される大型鏡面体を、天井面と床面を利用して設置することに着目し、鋭意検討を重ねて本考案を完成した。課題を解決するための手段は、本願、実用新案登録請求の範囲の各請求項に記載の考案であり、その具体的な解決手段は、以下の通りである。【０００７】○第１の考案（請求項１に記載の考案）
上記の課題を解決するための第１の考案（請求項１に記載の考案）は、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体と天井面との高さを調整する調整手段と、
を備えた」
ことを特徴としている。【０００８】○第２の考案（請求項２に記載の考案）
上記の課題を解決するための第２の考案（請求項２に記載の考案）は、
「前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と」
からなることを特徴としている。【０００９】○第３の考案（請求項３に記載の考案）
上記の課題を解決するための第３の考案（請求項３に記載の考案）は、
「前記鏡本体と天井面との高さ調整手段が、
前記円筒パイプ内に取り付けられ、下端部を前記角柱の下方部に係止されたコイルバネである」
ことを特徴としている。【００１０】○第４の考案（請求項４に記載の考案）
上記の課題を解決するための第４の考案（請求項４に記載の考案）は、
「前記角柱は、前記鏡本体裏面部の左右両側部の端縁より内側に立設されている」
ことを特徴としている。【００１１】○第５の考案（請求項５に記載の考案）
上記の課題を解決するための第５の考案（請求項５に記載の考案）は、
「前記円筒パイプの下端近傍には前記コイルバネに係止するための係止爪が形成されている」
ことを特徴としている。【００１２】○第６の考案（請求項６に記載の考案）
上記の課題を解決するための第６の考案（請求項６に記載の考案）は、
「前記角柱及び円筒パイプの素材がアルミ材である」
ことを特徴としている。
【考案の効果】
【００１３】  本考案に係る、自立型室内用大型鏡面体は、上記の特徴的構成要件から構成され、特徴的構成用件に応じた、以下のような本願考案特有の効果を奏する。また、上記のような特徴的構成要件から構成された自立型室内用大型鏡面体によれば、本願考案の課題を十分解消することができる。
○第１、第２及び第３の考案の効果
第１の考案によれば、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体と天井面との高さを調整する調整手段と、
を備えた」
という当業界では想到することが困難な特徴ある構成とし、
また、第２の考案によれば、
「前記固定手段が、
前記鏡本体裏面部の左右両側部に垂直状に取り付けられる２本の角柱と、
該角柱内で回転及び昇降可能に装着される両面接着テープ付き２本の円筒パイプと、
前記円筒パイプの上端に取り付けられた上部キャップ体と、
前記角柱の下端に取り付けられた下部キャップ体と」
からなるという当業界では想到することが困難な特徴ある構成とし、
さらに、第３の考案によれば、
「前記鏡本体と天井面との高さ調整手段が、
前記円筒パイプ内に取り付けられ、下端部を前記角柱の下方部に係止されたコイルバネである」
という当業界では想到することが困難な特徴ある構成としているから、
室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体の提供という、本考案の課題を解決することができた。すなわち、本願考案に係る大型鏡面体が設置された状態を、正面から見れば、視界に入るのは、主に鏡面部と天井面に固定された２本の円筒パイプであり、極めて、シンプルなデザインであり、どのような室内にも適合して何らの違和感を感じさせない。また鏡本体は、アルミ材と合成樹脂からなる複合ミラー又は合成樹脂フィルム製ミラー等軽量かつ割れないので、極めて安全であり、室内での設置や移設も簡便かつ容易に行うことができる。さらにキャスターや脚体がないので、室内の床面積を最大限に活用することができ、またコイルバネの付勢力で鏡面体を自立、固定させるので、例えば賃貸住宅等のように壁面、床等に穴を開けたり、釘等の使用が禁止されている室内でも、何ら問題なく、本願考案に係る大型鏡面体を設置することができる。さらに部品点数が少なく、構成部材がシンプルデザインであるために、製作コストの節減及び製品の梱包、搬送等の輸送コストの節減等の効果を奏することができた。【００１４】○第４の考案の効果
第４の考案によれば、
「角柱は、前記鏡本体裏面部の左右両側部の端縁より内側に立設されている」
という当業界では想到することが困難な特徴ある構成としているから、
例えば、ダンス教室又はエアロビック教室等の複数の大型鏡面体を設置するとき、そのつなぎ目が目立たないように密接して並設することができ、あたかも一枚の鏡面体のように設置することができる。【００１５】○第５の考案の効果
第５の考案によれば、
「前記円筒パイプの下端近傍には前記コイルバネに係止するための係止爪が形成されている」
という当業界では想到することが困難な特徴ある構成としているから、
円筒パイプは、その回転によりコイルバネに沿って円滑に角柱内を昇降し、かつコイルバネの付勢力（弾圧）により、鏡本体は上部キャップ体を介して天井面に固定される。【００１６】○第６の考案の効果
第６の考案によれば、
「前記角柱及び円筒パイプの素材がアルミ材である」
という当業界では想到することが困難な特徴ある構成としているから、
大型鏡面体の全体重量が軽量となり、設置等の作業性が良好であることはもちろん、例えば物流・搬送時においては梱包、積載、荷下ろし等の作業が迅速に行われる。
【考案を実施するための最良の形態】
【００１７】  以下、本考案に係る自立型室内用大型鏡面体に関する最良の実施形態について、図面を参照しながら説明する。図１は、本考案に係る自立型室内用大型鏡面体（以下、鏡面体Ｍ１という）を天井面と床面に設置した状態の一部省略した背面図、図２は、同側断面図、図３は、鏡面体Ｍ１を構成する各部材を分離して示す分解斜視図、図４は、図１におけるＡ部の拡大断面図、図５は、円筒パイプの係止爪とコイルバネの係止状態を示す斜視図、図６（イ）、（ロ）及び（ハ）は、コイルバネを円筒パイプに取り付ける他の実施態様を示す拡大断面図、図７（１）〜（３）は、鏡面体Ｍ１を天井面と床面に設置する手順を説明する側面図、図８は、鏡面体Ｍ１、鏡面体Ｍ２及び鏡面体Ｍを並設した状態を示す正面図である。【００１８】  図１〜図３に示すように、本考案に係る鏡面体Ｍ１は、全身を映せる大型の鏡本体１と、該鏡本体１を固定する固定手段及び鏡本体１と天井面Ｓとの高さを調整する調整手段とからなっている。固定手段は、鏡本体１の裏面部１ｂの左右両側部に垂直状に取り付けられる両面接着テープ付き２本の角柱２及び３と、該角柱２及び３に回転及び昇降可能に装着される２本の円筒パイプ４及び５と、該円筒パイプ４及び５の上端部に取り付けられた上部キャップ体４１及び５１と、角柱２及び３の下端部に嵌着された下部キャップ体２１及び３１とからなる。調整手段は、角柱２及び３内に取り付けられ、鏡本体１の上端と天井面Ｓの高さＨ１を調整するコイルバネ９及び１０である。【００１９】  鏡本体１は、アルミ材と合成樹脂からなる複合ミラー又は合成樹脂フィルム製ミラー等の軽量鏡体が主として使用される。ただし、ガラスミラーを選択して使用することもできる。図１に示すＨは、一般的家屋の室内における天井面Ｓと床面Ｆ間の高さ寸法で、約２４０ｃｍである。鏡本体１は、例えば、高さ寸法Ｌを約１８０ｃｍ〜２００ｃｍ、巾寸法Ｗを約９０ｃｍ〜１２０ｃｍとした長方形としている。図１におけるＣ１は、円筒パイプ４及び５内に装着されるコイルバネ９の長さ寸法で、例えば、約８０ｃｍとしている。ただし、室内における鏡本体１と天井面Ｓまでの高さ、例えば、Ｈ１の状況によって適宜変更できることはいうまでもない。本考案に係る鏡面体Ｍ１は、全身を写せるものであり、例えば、ジャズダンス、エアロビック教室、ヨガ教室、スポーツジム等におけるフォーム等の矯正、練習に利用されるものである。図２は、鏡面体Ｍ１を室内に設置したときの側断面図であり、Ｈ２は、高さ寸法Ｈ１より少なくとも大となるように伸長させる円筒パイプ５の伸長寸法である。図中Ｋは、室内の壁面で、鏡面体Ｍ１は、壁面Ｋに近接しての設置が可能であり、室内の床面積を最大限に活用することができる。【００２０】  角柱２及び３は、外形寸法が約３ｃｍ〜３．５ｃｍであり、平断面視、方形中空状のアルミ材からなり、その長さ寸法は、鏡本体１の高さ寸法Ｌとほぼ同寸とし、角柱２及び３の外面部に沿って取り付けられた両面接着テープ２ａ及び３ａ等を介し、鏡本体１の裏面部１ｂに垂直状に立設されている。角柱２及び３の長さは、室内の状況等によっては、鏡本体１の高さ寸法Ｌより大とすることもある。各角柱２及び３は、図１に示すように、鏡���体１の裏面部１ｂにおける左右両側部の端縁１ｃ及び１ｄより僅かに隙間Ｗ１を設けて内側に立設されている。【００２１】  円筒パイプ４及び５は、鏡本体１を天井面Ｓに固定するための固定手段であり、各円筒パイプ４及び５の外径は、角柱２及び３の内径より小とされ、角柱２及び３内で回転及び昇降可能に装着されている。その素材は、角柱２及び３と同様にアルミ材からなっている。円筒パイプ４及び５の長さ寸法は、角柱２及び３よりやや短くなっている。各円筒パイプ４及び５の上端部には樹脂製の上部キャップ体４１及び５１が取り付けられている。また角柱２及び３の下端部には、鏡本体１と床面Ｆを固定する手段として硬質樹脂材からなる下部キャップ体２１及び３１が取り付けられている。図３〜図４に示すように、下部キャップ体２１及び３１の軸部上方には、開口部２１ａ及び３１ａが形成され、下部キャップ体２１及び３１の側部から開口部２１ａ及び３１ａに向けてコイルバネ９及び１０の下端部９ａ及び１０ａを係止する止めボルトＢ１及びＢ２の雌ねじ２１ｂ及び３１ｂが螺設されている。【００２２】  円筒パイプ４及び５内には、コイルバネ９及び１０が取り付けられている。図４及び図５に示すように、円筒パイプ４及び５の下端近傍の一部に電動カッター等により切溝４ａ及び５ａ（図示しない）が設けられ、該切溝４ａ及び５ａ（図示しない）をハンマー等で円筒パイプ４及び５の内面側に打ち曲げられ、係止爪４ｂ及び５ｂ（図示しない）が形成されている。図４及び図５に示すように該係止爪４ｂには、コイルバネ９が係止されている。【００２３】  図６（イ）において、６はボルト、６１はナットで角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にボルト６を挿通し、ナット６１で固定することができる。【００２４】  図６（ロ）において、７はかしめ用ボルトで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にかしめ用ボルト７を挿通し、角柱２の貫通孔２ｈから突出した先端部７１を、ハンマー等で打ちつけ固定することができる。【００２５】  図６（ハ）において、８は割りピンで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内に割りピン８を挿通し、角柱２の貫通孔２ｈから突出した切り割り部８１を、ドライバー等で拡開して固定することができる。【００２６】  次に、鏡面体Ｍ１の各部品の組立、設置等について、図３他を参照して説明する。まずコイルバネ９の下端部９ａを下部キャップ体２１の開口部２１ａに挿入する。コイルバネ９の下端部９ａはリング状の開口９ｂとなっている（図４及び図５参照）。次に止めボルトＢ１を下部キャップ体２１の雌ねじ２１ｂにねじ込み、コイルバネ９の開���９ｂ内に係止する。これにより、コイルバネ９は下部キャップ体２１に固定される。続いてコイルバネ９の上端部９ｂに円筒パイプ４の係止爪４ｂを当接させ、円筒パイプ４を逆回転（時計と逆回り）させてコイルバネ９の下端部９ａ近傍まで下降させておく。【００２７】  さらに、コイルバネ１０の下端部１０ａを下部キャップ体３１の開口部３１ａに挿入する。コイルバネ１０の下端部１０ａはリング状の開口１０ｂとなっている。次に止めボルトＢ２を下部キャップ体３１の雌ねじ３１ｂにねじ込み、コイルバネ１０の開口１０ｂ内に係止する。これにより、コイルバネ１０は下部キャップ体３１に固定される。続いてコイルバネ１０の上端部１０ｂに円筒パイプ５の係止爪５ｂを当接させ、円筒パイプ５を逆回転（時計と逆回り）させてコイルバネ１０の下端部１０ａ近傍まで下降させておく。【００２８】  角柱２は、両面接着テープ２ａの離型紙を剥離し、鏡本体１の裏面部１ｂの側部に垂直状に取り付ける。このとき端縁１ｃより僅かに隙間Ｗ１を設けて内側に設置する。また、角柱３は、両面接着テープ３ａの離型紙を剥離し、鏡本体１の裏面部１ｂの側部に垂直状に取り付ける。このとき端縁１ｄより僅かに隙間Ｗ１を設けて内側に設置する。【００２９】  コイルバネ９及びコイルバネ１０を内部に装着した円筒パイプ４及び５は、それぞれ鏡本体１の裏面部１ｂに設置された角柱２及び３の下端部に円筒パイプ４及び５の上端４ｃを当接させてから徐々に挿入した後、下部キャップ体２１及び３１をそれぞれ角柱２及び３の下端部にハンマー等により、打ち込んで固定する。続いて上部キャップ体４１及び５１を、円筒パイプ４及び５の上端部４ｃ及び５ｃ内にハンマー等により、打ち込み、鏡本体１と各部材の組立作業は終了する。【００３０】  図７（１）〜（３）は、鏡面体Ｍ１を床面Ｆと天井面Ｓに立設する手順を示している。設置に際しては、鏡本体１と天井面Ｓの空間寸法Ｈ１をあらかじめ目測し、図７（１）に示すように、鏡面体Ｍ１を手前側に引いて、左右の円筒パイプを手動により右回転させて、鏡本体１と天井面Ｓとの高さ寸法Ｈ１より大（図７（２）に示すＨ２）となるように伸長しておき、両腕で左右の円筒パイプ４及び５をいったん下方に引き下げ（矢印のＤ）たまま、鏡面体Ｍ１を前方に起こしていき（矢印のＵＰ）、鏡面体Ｍ１が垂直状になったとき、両腕を左右の円筒パイプ４及び５から同時に離すと、左右の円筒パイプ４及び５は、コイルバネの付勢力（弾圧）で天井面Ｓに当接し、鏡面体Ｍ１は自立して固定される（図７（３））。【００３１】  自立している鏡面体Ｍ１を取り外したり、移設するときは、左右の円筒パイプ４及び５を両腕で把持し、これを下方に引き下げて手前側に引き寄せれば、簡単に鏡面体Ｍ１は天井面Ｓから離すことができる。したがって、本考案に係る鏡面体Ｍ１は、鏡本体１と天井面Ｓとの高さ調整を左右の円筒パイプ４及び５の回転のみによって行うから、例えば、ジャズダンス又はエアロビック教室、着物着付け教室等はもちろん、一般家庭住宅、特に賃貸住宅等において、壁面に穴を穿設したり接着ボンド等を使うことなく設置、移設等が簡便にでき、またその操作も容易であり、各種工具類も不要であり、非力な女性や中高生でも鏡面体Ｍ１を短時間で設置、移設することができる。【００３２】  図８は、室内に複数の鏡面体Ｍ１、鏡面体Ｍ２及び鏡面体Ｍ３を並設した状態を示している。例えば、ジャズダンス又はエアロビック教室のように、比較的床面積が広い室内においては、複数の鏡面体を配設する場合がある。このようなとき、図１に示すように、鏡本体１の裏面部１ｂにおける左右両側部の端縁１ｃ及び１ｄより僅かに隙間Ｗ１を設けて内側に立設されているので、鏡面体Ｍ１、鏡面体Ｍ２及び鏡面体Ｍ３は互いに密接して並設されているので、あたかも一枚の鏡面体が自立している感じを付与し、室内での各プレーヤー等にはなんらの違和感を感じさせることなく、各種の動きやフォーム等を
円滑に行うことができる。
【図面の簡単な説明】
【００３３】
【図１】は、本考案に係る、鏡面体Ｍ１を天井面と床面に設置した状態の一部省略した背面図である。
【図２】は、同側断面図である。
【図３】は、鏡面体Ｍ１を構成する各部材を分離して示す分解斜視図である。
【図４】は、図１におけるＡ部の拡大断面図である。
【図５】は、円筒パイプの係止爪とコイルバネの係止状態を示す斜視図である。
【図６】（イ）〜（ハ）は、コイルバネを円筒パイプに取り付ける他の実施態様を示す拡大断面図である。
【図７】（１）〜（３）は、鏡面体Ｍ１を天井面と床面に設置する手順を説明する側面図である。
【図８】は、鏡面体Ｍ１、鏡面体Ｍ２及び鏡面体Ｍを並設した状態を示す正面図である。
【符号の説明】
【００３４】Ｍ１、Ｍ２、Ｍ３鏡面体
Ｓ              天井面
Ｆ              床面
Ｋ              壁面
Ｈ              天井面Ｓと床面Ｆ間の高さ寸法
Ｌ              鏡本体の高さ寸法
Ｗ              鏡本体の巾寸法
Ｃ              コイルバネの長さ寸法
Ｈ１            鏡本体と天井面までの高さ
Ｈ２            円筒パイプの伸長寸法
Ｗ１            隙間
Ｂ１、Ｂ２      ボルト
１              鏡本体
２、３          角柱
４、５          円筒パイプ
９、１０        コイルバネ
２１、３１      下部キャップ体
４１、５１      上部キャップ体
１ａ            鏡面部
１ｂ            裏面部
１ｃ、１ｄ      端縁
２ａ、３ａ      両面接着テープ
４ａ、５ａ      切溝
４ｂ、５ｂ      係止爪
９ａ、１０ａ    下端部
２１ａ、３１ａ  開口部
２１ｂ、３１ｂ  雌ねじ
【図１】
0003149311.tif 000003
【図２】
0003149311.tif 000004
【図３】
0003149311.tif 000005
【図４】
0003149311.tif 000006
【図５】
0003149311.tif 000007
【図６】
0003149311.tif 000008
【図７】
0003149311.tif 000009
【図８】
0003149311.tif 000010
【手続補正書】
【提出日】平成20年8月28日(2008.8.28)
【手続補正１】
【補正対象書類名】実用新案登録請求の範囲
【補正対象項目名】全文
【補正方法】変更
【補正の内容】
【実用新案登録請求の範囲】
【請求項１】
アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた、
ことを特徴とする、自立型室内用大型鏡面体。
【請求項２】
前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と、
からなることを特徴とする、請求項１に記載の自立型室内用大型鏡面体。
【請求項３】
前記調整手段が、
前記円筒パイプ内に取り付けられ、下端部を前記角柱の下方部に係止されたコイルバネである、
ことを特徴とする、請求項１〜請求項３の何れかに記載の自立型室内用大型鏡面体。
【請求項４】
前記角柱は、前記鏡本体裏面部の左右両側部の端縁より内側に立設されている、
ことを特徴とする、請求項２〜請求項３の何れかに記載の自立型室内用大型鏡面体。
【請求項５】
前記円筒パイプの下端近傍には前記コイルバネに係止するための係止爪が形成されている、
ことを特徴とする、請求項２又は請求項３の何れかに記載の自立型室内用大型鏡面体。
【請求項６】
前記角柱及び円筒パイプの素材がアルミ材である、
ことを特徴とする、請求項２〜請求項５の何れかに記載の自立型室内用大型鏡面体。
【手続補正２】
【補正対象書類名】明細書
【補正対象項目名】全文
【補正方法】変更
【補正の内容】
【考案の詳細な説明】
【技術分野】
【０００１】  本考案は、自立型室内用大型鏡面体に係り、より詳しくは、例えば、ジャズダンス、エアロビック教室、ヨガ教室、スポーツジム又は、着物着付け教室等はもちろん、一般家庭住宅あるいは賃貸住宅等において、壁面に穴を穿設したり、釘や接着ボンド等を使うことなく、かつ脚体等を用いないで、天井面と床面を利用し、室内の所望場所に、鏡本体に取り付けられた円筒パイプ内のコイルバネの付勢力で簡便に設置できる、自立型室内用大型鏡面体に関する。
【背景技術】
【０００２】  本願考案者は、部品点数を少なく、全体の総重量を軽くし、狭い保管スペースですみ、適宜鏡本体と脚台を組立又は分解でき、移送作業も効率よくできる大型の鏡を提供するとして、「組立・分解簡便なキャスター付き鏡」（特願２００３−１２７５８０）を提案した（特許文献１）。しかし、特許文献１には各種の不具合があることが判明したので、その改善案として「組立・分解が簡便なキャスター付き大型鏡面体」（特願２００７−１１７７１１）を提案した（特許文献２）。【０００３】  しかしながら、特許文献１及び特許文献２の大きな問題点は、何れもキャスターを装着しているために、室内外での移動等には好適ではあるが、特に室内においては、左右のキャスターを装着する部材である逆Ｔ字状バーが、室内等における利用者の動作を制限するのみならず、該逆Ｔ字状バーに足が引っ掛かかり、転倒、負傷等の事故が発生する可能性がある。また逆Ｔ字状バーへの支柱取り付け、取り外し作業が面倒であり、車両等による搬送上の問題点も指摘される。さらに、格納倉庫等での収納スペースも大となっている等々の不具合が判明した。また近年、趣味の多様化や健康志向の高まり等に伴い、ジャズダンス、エアロビック教室、ヨガ教室、スポーツジム等において、また一般家庭住宅、あるいは賃貸住宅等においてもキャスター付き又は脚体がない大型鏡面体の設置を所望する傾向が顕著になっている。【０００４】
【特許文献１】特開２００４−２９８５８８号公報
【特許文献２】特開２００７−１９０４３７号公報
【考案の開示】
【考案が解決しようとする課題】
【０００５】  本考案が解決しようとする課題は、室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体を提供することにある。
【課題を解決するための手段】
【０００６】  本考案者は、上記従来技術が有する種々の問題点に鑑み、特に室内に設置される大型鏡面体を、天井面と床面を利用して設置することに着目し、鋭意検討を重ねて本考案を完成した。課題を解決するための手段は、本願、実用新案登録請求の範囲の各請求項に記載の考案であり、その具体的な解決手段は、以下の通りである。【０００７】○第１の考案（請求項１に記載の考案）
上記の課題を解決するための第１の考案（請求項１に記載の考案）は、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた」
ことを特徴としている。【０００８】○第２の考案（請求項２に記載の考案）
上記の課題を解決するための第２の考案（請求項２に記載の考案）は、
「前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と」
からなることを特徴としている。【０００９】○第３の考案（請求項３に記載の考案）
上記の課題を解決するための第３の考案（請求項３に記載の考案）は、
「前記調整手段が、
前記円筒パイプ内に取り付けられ、下端部を前記角柱の下方部に係止されたコイルバネである」
ことを特徴としている。【００１０】○第４の考案（請求項４に記載の考案）
上記の課題を解決するための第４の考案（請求項４に記載の考案）は、
「前記角柱は、前記鏡本体裏面部の左右両側部の端縁より内側に立設されている」
ことを特徴としている。【００１１】○第５の考案（請求項５に記載の考案）
上記の課題を解決するための第５の考案（請求項５に記載の考案）は、
「前記円筒パイプの下端近傍には前記コイルバネに係止するための係止爪が形成されている」
ことを特徴としている。【００１２】○第６の考案（請求項６に記載の考案）
上記の課題を解決するための第６の考案（請求項６に記載の考案）は、
「前記角柱及び円筒パイプの素材がアルミ材である」
ことを特徴としている。
【考案の効果】
【００１３】  本考案に係る、自立型室内用大型鏡面体は、上記の特徴的構成要件から構成され、特徴的構成用件に応じた、以下のような本願考案特有の効果を奏する。また、上記のような特徴的構成要件から構成された自立型室内用大型鏡面体によれば、本願考案の課題を十分解消することができる。
○第１、第２及び第３の考案の効果
第１の考案によれば、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた」
という当業界では想到することが困難な特徴ある構成とし、
また、第２の考案によれば、
「前記固定手段が、
前記鏡本体裏面部の左右両側部に垂直状に取り付けられる２本の角柱と、
該角柱内で回転及び昇降可能に装着される両面接着テープ付き２本の円筒パイプと、
前記円筒パイプの上端に取り付けられた上部キャップ体と、
前記角柱の下端に取り付けられた下部キャップ体と」
からなるという当業界では想到することが困難な特徴ある構成とし、
さらに、第３の考案によれば、
「前記調整手段が、
前記円筒パイプ内に取り付けられ、下端部を前記角柱の下方部に係止されたコイルバネである」
という当業界では想到することが困難な特徴ある構成としているから、
室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体の提供という、本考案の課題を解決することができた。すなわち、本願考案に係る大型鏡面体が設置された状態を、正面から見れば、視界に入るのは、主に鏡面部と天井面に固定された２本の円筒パイプであり、極めて、シンプルなデザインであり、どのような室内にも適合して何らの違和感を感じさせない。また鏡本体は、アルミ材と合成樹脂からなる複合ミラー又は合成樹脂フィルム製ミラー等軽量かつ割れないので、極めて安全であり、室内での設置や移設も簡便かつ容易に行うことができる。さらにキャスターや脚体がないので、室内の床面積を最大限に活用することができ、またコイルバネの付勢力で鏡面体を自立、固定させるので、例えば賃貸住宅等のように壁面、床等に穴を開けたり、釘等の使用が禁止されている室内でも、何ら問題なく、本願考案に係る大型鏡面体を設置することができる。さらに部品点数が少なく、構成部材がシンプルデザインであるために、製作コストの節減及び製品の梱包、搬送等の輸送コストの節減等の効果を奏することができた。【００１４】○第４の考案の効果
第４の考案によれば、
「前記角柱は、前記鏡本体裏面部の左右両側部の端縁より内側に立設されている」
という当業界では想到することが困難な特徴ある構成としているから、
例えば、ダンス教室又はエアロビック教室等の複数の大型鏡面体を設置するとき、そのつなぎ目が目立たないように密接して並設することができ、あたかも一枚の鏡面体のように設置することができる。【００１５】○第５の考案の効果
第５の考案によれば、
「前記円筒パイプの下端近傍には前記コイルバネに係止するための係止爪が形成されている」
という当業界では想到することが困難な特徴ある構成としているから、
円筒パイプは、その回転によりコイルバネに沿って円滑に角柱内を昇降し、かつコイルバネの付勢力（弾圧）により、鏡本体は上部キャップ体を介して天井面に固定される。【００１６】○第６の考案の効果
第６の考案によれば、
「前記角柱及び円筒パイプの素材がアルミ材である」
という当業界では想到することが困難な特徴ある構成としているから、
大型鏡面体の全体重量が軽量となり、設置等の作業性が良好であることはもちろん、例えば物流・搬送時においては梱包、積載、荷下ろし等の作業が迅速に行われる。
【考案を実施するための最良の形態】
【００１７】  以下、本考案に係る自立型室内用大型鏡面体に関する最良の実施形態について、図面を参照しながら説明する。図１は、本考案に係る自立型室内用大型鏡面体（以下、鏡面体Ｍ１という）を天井面と床面に設置した状態の一部省略した背面図、図２は、同側断面図、図３は、鏡面体Ｍ１を構成する各部材を分離して示す分解斜視図、図４は、図１におけるＡ部の拡大断面図、図５は、円筒パイプの係止爪とコイルバネの係止状態を示す斜視図、図６（イ）、（ロ）及び（ハ）は、コイルバネを円筒パイプに取り付ける他の実施態様を示す拡大断面図、図７（１）〜（３）は、鏡面体Ｍ１を天井面と床面に設置する手順を説明する側面図、図８は、鏡面体Ｍ１、鏡面体Ｍ２及び鏡面体Ｍを並設した状態を示す正面図である。【００１８】  図１〜図３に示すように、本考案に係る鏡面体Ｍ１は、全身を映せる大型の鏡本体１と、該鏡本体１を固定する固定手段及び鏡本体１と天井面Ｓとの高さを調整する調整手段とからなっている。固定手段は、鏡本体１の裏面部１ｂの左右両側部に垂直状に取り付けられる両面接着テープ付き２本の角柱２及び３と、該角柱２及び３に回転及び昇降可能に装着される２本の円筒パイプ４及び５と、該円筒パイプ４及び５の上端部に取り付けられた上部キャップ体４１及び５１と、角柱２及び３の下端部に嵌着された下部キャップ体２１及び３１とからなる。調整手段は、角柱２及び３内に取り付けられ、鏡本体１の上端と天井面Ｓの高さＨ１を調整するコイルバネ９及び１０である。【００１９】  鏡本体１は、アルミ材と合成樹脂からなる複合ミラー又は合成樹脂フィルム製ミラー等の軽量鏡体が主として使用される。ただし、ガラスミラーを選択して使用することもできる。図１に示すＨは、一般的家屋の室内における天井面Ｓと床面Ｆ間の高さ寸法で、約２４０ｃｍである。鏡本体１は、例えば、高さ寸法Ｌを約１８０ｃｍ〜２００ｃｍ、巾寸法Ｗを約９０ｃｍ〜１２０ｃｍとした長方形としている。図１におけるＣ１は、円筒パイプ４及び５内に装着されるコイルバネ９の長さ寸法で、例えば、約８０ｃｍとしている。ただし、室内における鏡本体１と天井面Ｓまでの高さ、例えば、Ｈ１の状況によって適宜変更できることはいうまでもない。本考案に係る鏡面体Ｍ１は、全身を写せるものであり、例えば、ジャズダンス、エアロビック教室、ヨガ教室、スポーツジム等におけるフォーム等の矯正、練習に利用されるものである。図２は、鏡面体Ｍ１を室内に設置したときの側断面図であり、Ｈ２は、高さ寸法Ｈ１より少なくとも大となるように伸長させる円筒パイプ５の伸長寸法である。図中Ｋは、室内の壁面で、鏡面体Ｍ１は、壁面Ｋに近接しての設置が可能であり、室内の床面積を最大限に活用することができる。【００２０】  角柱２及び３は、外形寸法が約３ｃｍ〜３．５ｃｍであり、平断面視、方形中空状のアルミ材からなり、その長さ寸法は、鏡本体１の高さ寸法Ｌとほぼ同寸とし、角柱２及び３の外面部に沿って取り付けられた両面接着テープ２ａ及び３ａ等を介し、鏡本体１の裏面部１ｂに垂直状に立設されている。角柱２及び３の長さは、室内の状況等によっては、鏡本体１の高さ寸法Ｌより大とすることもある。各角柱２及び３は、図１に示すように、鏡���体１の裏面部１ｂにおける左右両側部の端縁１ｃ及び１ｄより僅かに隙間Ｗ１を設けて内側に立設されている。【００２１】  円筒パイプ４及び５は、鏡本体１を天井面Ｓに固定するための固定手段であり、各円筒パイプ４及び５の外径は、角柱２及び３の内径より小とされ、角柱２及び３内で回転及び昇降可能に装着されている。その素材は、角柱２及び３と同様にアルミ材からなっている。円筒パイプ４及び５の長さ寸法は、角柱２及び３よりやや短くなっている。各円筒パイプ４及び５の上端部には樹脂製の上部キャップ体４１及び５１が取り付けられている。また角柱２及び３の下端部には、鏡本体１と床面Ｆを固定する手段として硬質樹脂材からなる下部キャップ体２１及び３１が取り付けられている。図３〜図４に示すように、下部キャップ体２１及び３１の軸部上方には、開口部２１ａ及び３１ａが形成され、下部キャップ体２１及び３１の側部から開口部２１ａ及び３１ａに向けてコイルバネ９及び１０の下端部９ａ及び１０ａを係止する止めボルトＢ１及びＢ２の雌ねじ２１ｂ及び３１ｂが螺設されている。【００２２】  円筒パイプ４及び５内には、コイルバネ９及び１０が取り付けられている。図４及び図５に示すように、円筒パイプ４及び５の下端近傍の一部に電動カッター等により切溝４ａ及び５ａ（図示しない）が設けられ、該切溝４ａ及び５ａ（図示しない）をハンマー等で円筒パイプ４及び５の内面側に打ち曲げられ、係止爪４ｂ及び５ｂ（図示しない）が形成されている。図４及び図５に示すように該係止爪４ｂには、コイルバネ９が係止されている。【００２３】  図６（イ）において、６はボルト、６１はナットで角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にボルト６を挿通し、ナット６１で固定することができる。【００２４】  図６（ロ）において、７はかしめ用ボルトで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にかしめ用ボルト７を挿通し、角柱２の貫通孔２ｈから突出した先端部７１を、ハンマー等で打ちつけ固定することができる。【００２５】  図６（ハ）において、８は割りピンで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内に割りピン８を挿通し、角柱２の貫通孔２ｈから突出した切り割り部８１を、ドライバー等で拡開して固定することができる。【００２６】  次に、鏡面体Ｍ１の各部品の組立、設置等について、図３他を参照して説明する。まずコイルバネ９の下端部９ａを下部キャップ体２１の開口部２１ａに挿入する。コイルバネ９の下端部９ａはリング状の開口９ｂとなっている（図４及び図５参照）。次に止めボルトＢ１を下部キャップ体２１の雌ねじ２１ｂにねじ込み、コイルバネ９の開���９ｂ内に係止する。これにより、コイルバネ９は下部キャップ体２１に固定される。続いてコイルバネ９の上端部９ｂに円筒パイプ４の係止爪４ｂを当接させ、円筒パイプ４を逆回転（時計と逆回り）させてコイルバネ９の下端部９ａ近傍まで下降させておく。【００２７】  さらに、コイルバネ１０の下端部１０ａを下部キャップ体３１の開口部３１ａに挿入する。コイルバネ１０の下端部１０ａはリング状の開口１０ｂとなっている。次に止めボルトＢ２を下部キャップ体３１の雌ねじ３１ｂにねじ込み、コイルバネ１０の開口１０ｂ内に係止する。これにより、コイルバネ１０は下部キャップ体３１に固定される。続いてコイルバネ１０の上端部１０ｂに円筒パイプ５の係止爪５ｂを当接させ、円筒パイプ５を逆回転（時計と逆回り）させてコイルバネ１０の下端部１０ａ近傍まで下降させておく。【００２８】  角柱２は、両面接着テープ２ａの離型紙を剥離し、鏡本体１の裏面部１ｂの側部に垂直状に取り付ける。このとき端縁１ｃより僅かに隙間Ｗ１を設けて内側に設置する。また、角柱３は、両面接着テープ３ａの離型紙を剥離し、鏡本体１の裏面部１ｂの側部に垂直状に取り付ける。このとき端縁１ｄより僅かに隙間Ｗ１を設けて内側に設置する。【００２９】  コイルバネ９及びコイルバネ１０を内部に装着した円筒パイプ４及び５は、それぞれ鏡本体１の裏面部１ｂに設置された角柱２及び３の下端部に円筒パイプ４及び５の上端４ｃを当接させてから徐々に挿入した後、下部キャップ体２１及び３１をそれぞれ角柱２及び３の下端部にハンマー等により、打ち込んで固定する。続いて上部キャップ体４１及び５１を、円筒パイプ４及び５の上端部４ｃ及び５ｃ内にハンマー等により、打ち込み、鏡本体１と各部材の組立作業は終了する。【００３０】  図７（１）〜（３）は、鏡面体Ｍ１を床面Ｆと天井面Ｓに立設する手順を示している。設置に際しては、鏡本体１と天井面Ｓの空間寸法Ｈ１をあらかじめ目測し、図７（１）に示すように、鏡面体Ｍ１を手前側に引いて、左右の円筒パイプを手動により右回転させて、鏡本体１と天井面Ｓとの高さ寸法Ｈ１より大（図７（２）に示すＨ２）となるように伸長しておき、両腕で左右の円筒パイプ４及び５をいったん下方に引き下げ（矢印のＤ）たまま、鏡面体Ｍ１を前方に起こしていき（矢印のＵＰ）、鏡面体Ｍ１が垂直状になったとき、両腕を左右の円筒パイプ４及び５から同時に離すと、左右の円筒パイプ４及び５は、コイルバネの付勢力（弾圧）で天井面Ｓに当接し、鏡面体Ｍ１は自立して固定される（図７（３））。【００３１】  自立している鏡面体Ｍ１を取り外したり、移設するときは、左右の円筒パイプ４及び５を両腕で把持し、これを下方に引き下げて手前側に引き寄せれば、簡単に鏡面体Ｍ１は天井面Ｓから離すことができる。したがって、本考案に係る鏡面体Ｍ１は、鏡本体１と天井面Ｓとの高さ調整を左右の円筒パイプ４及び５の回転のみによって行うから、例えば、ジャズダンス又はエアロビック教室、着物着付け教室等はもちろん、一般家庭住宅、特に賃貸住宅等において、壁面に穴を穿設したり接着ボンド等を使うことなく設置、移設等が簡便にでき、またその操作も容易であり、各種工具類も不要であり、非力な女性や中高生でも鏡面体Ｍ１を短時間で設置、移設することができる。【００３２】  図８は、室内に複数の鏡面体Ｍ１、鏡面体Ｍ２及び鏡面体Ｍ３を並設した状態を示している。例えば、ジャズダンス又はエアロビック教室のように、比較的床面積が広い室内においては、複数の鏡面体を配設する場合がある。このようなとき、図１に示すように、鏡本体１の裏面部１ｂにおける左右両側部の端縁１ｃ及び１ｄより僅かに隙間Ｗ１を設けて内側に立設されているので、鏡面体Ｍ１、鏡面体Ｍ２及び鏡面体Ｍ３は互いに密接して並設されているので、あたかも一枚の鏡面体が自立している感じを付与し、室内での各プレーヤー等にはなんらの違和感を感じさせることなく、各種の動きやフォーム等を
円滑に行うことができる。
【図面の簡単な説明】
【００３３】
【図１】は、本考案に係る、鏡面体Ｍ１を天井面と床面に設置した状態の一部省略した背面図である。
【図２】は、同側断面図である。
【図３】は、鏡面体Ｍ１を構成する各部材を分離して示す分解斜視図である。
【図４】は、図１におけるＡ部の拡大断面図である。
【図５】は、円筒パイプの係止爪とコイルバネの係止状態を示す斜視図である。
【図６】（イ）〜（ハ）は、コイルバネを円筒パイプに取り付ける他の実施態様を示す拡大断面図である。
【図７】（１）〜（３）は、鏡面体Ｍ１を天井面と床面に設置する手順を説明する側面図である。
【図８】は、鏡面体Ｍ１、鏡面体Ｍ２及び鏡面体Ｍを並設した状態を示す正面図である。
【符号の説明】
【００３４】Ｍ１、Ｍ２、Ｍ３  鏡面体
Ｓ                天井面
Ｆ                床面
Ｋ                壁面
Ｈ                天井面Ｓと床面Ｆ間の高さ寸法
Ｌ                鏡本体の高さ寸法
Ｗ                鏡本体の巾寸法
Ｃ                コイルバネの長さ寸法
Ｈ１              鏡本体と天井面までの高さ
Ｈ２              円筒パイプの伸長寸法
Ｗ１              隙間
Ｂ１、Ｂ２        ボルト
１                鏡本体
２、３            角柱
４、５            円筒パイプ
９、１０          コイルバネ
２１、３１        下部キャップ体
４１、５１        上部キャップ体
１ａ              鏡面部
１ｂ              裏面部
１ｃ、１ｄ        端縁
２ａ、３ａ        両面接着テープ
４ａ、５ａ        切溝
４ｂ、５ｂ        係止爪
９ａ、１０ａ      下端部
２１ａ、３１ａ    開口部
２１ｂ、３１ｂ    雌ねじ
【手続補正書】
【提出日】平成20年11月6日(2008.11.6)
【手続補正１】
【補正対象書類名】実用新案登録請求の範囲
【補正対象項目名】全文
【補正方法】変更
【補正の内容】
【実用新案登録請求の範囲】
【請求項１】
アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた、
ことを特徴とする、自立型室内用大型鏡面体。
【請求項２】
前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と、
からなることを特徴とする、請求項１に記載の自立型室内用大型鏡面体。
【請求項３】
前記調整手段が、
前記円筒パイプ内に取り付けられ、下端部を前記角柱の下方部に係止されたコイルバネである、
ことを特徴とする、請求項１又は請求項２に記載の自立型室内用大型鏡面体。
【請求項４】
前記角柱は、前記鏡本体裏面部の左右両側部の端縁より内側に立設されている、
ことを特徴とする、請求項２〜請求項３の何れかに記載の自立型室内用大型鏡面体。
【請求項５】
前記円筒パイプの下端近傍には前記コイルバネに係止するための係止爪が形成されている、
ことを特徴とする、請求項２又は請求項３の何れかに記載の自立型室内用大型鏡面体。
【請求項６】
前記角柱及び円筒パイプの素材がアルミ材である、
ことを特徴とする、請求項２〜請求項５の何れかに記載の自立型室内用大型鏡面体。
【手続補正２】
【補正対象書類名】明細書
【補正対象項目名】全文
【補正方法】変更
【補正の内容】
【考案の詳細な説明】
【技術分野】
【０００１】  本考案は、自立型室内用大型鏡面体に係り、より詳しくは、例えば、ジャズダンス、エアロビック教室、ヨガ教室、スポーツジム又は、着物着付け教室等はもちろん、一般家庭住宅あるいは賃貸住宅等において、壁面に穴を穿設したり、釘や接着ボンド等を使うことなく、かつ脚体等を用いないで、天井面と床面を利用し、室内の所望場所に、鏡本体に取り付けられた円筒パイプ内のコイルバネの付勢力で簡便に設置できる、自立型室内用大型鏡面体に関する。
【背景技術】
【０００２】  本願考案者は、部品点数を少なく、全体の総重量を軽くし、狭い保管スペースですみ、適宜鏡本体と脚台を組立又は分解でき、移送作業も効率よくできる大型の鏡を提供するとして、「組立・分解簡便なキャスター付き鏡」（特願２００３−１２７５８０）を提案した（特許文献１）。しかし、特許文献１には各種の不具合があることが判明したので、その改善案として「組立・分解が簡便なキャスター付き大型鏡面体」（特願２００７−１１７７１１）を提案した（特許文献２）。【０００３】  しかしながら、特許文献１及び特許文献２の大きな問題点は、何れもキャスターを装着しているために、室内外での移動等には好適ではあるが、特に室内においては、左右のキャスターを装着する部材である逆Ｔ字状バーが、室内等における利用者の動作を制限するのみならず、該逆Ｔ字状バーに足が引っ掛かかり、転倒、負傷等の事故が発生する可能性がある。また逆Ｔ字状バーへの支柱取り付け、取り外し作業が面倒であり、車両等による搬送上の問題点も指摘される。さらに、格納倉庫等での収納スペースも大となっている等々の不具合が判明した。また近年、趣味の多様化や健康志向の高まり等に伴い、ジャズダンス、エアロビック教室、ヨガ教室、スポーツジム等において、また一般家庭住宅、あるいは賃貸住宅等においてもキャスター付き又は脚体がない大型鏡面体の設置を所望する傾向が顕著になっている。【０００４】
【特許文献１】特開２００４−２９８５８８号公報
【特許文献２】特開２００７−１９０４３７号公報
【考案の開示】
【考案が解決しようとする課題】
【０００５】  本考案が解決しようとする課題は、室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体を提供することにある。
【課題を解決するための手段】
【０００６】  本考案者は、上記従来技術が有する種々の問題点に鑑み、特に室内に設置される大型鏡面体を、天井面と床面を利用して設置することに着目し、鋭意検討を重ねて本考案を完成した。課題を解決するための手段は、本願、実用新案登録請求の範囲の各請求項に記載の考案であり、その具体的な解決手段は、以下の通りである。【０００７】○第１の考案（請求項１に記載の考案）
上記の課題を解決するための第１の考案（請求項１に記載の考案）は、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた」
ことを特徴としている。【０００８】○第２の考案（請求項２に記載の考案）
上記の課題を解決するための第２の考案（請求項２に記載の考案）は、
「前記固定手段が、
前記鏡本体裏面部の左右両側部に垂直状に取り付けられる両面接着テープ付き２本の角柱と、
該角柱内で回転及び昇降可能に装着される２本の円筒パイプと、
前記円筒パイプの上端に取り付けられた上部キャップ体と、
前記角柱の下端に取り付けられた下部キャップ体と」
からなることを特徴としている。【０００９】○第３の考案（請求項３に記載の考案）
上記の課題を解決するための第３の考案（請求項３に記載の考案）は、
「前記調整手段が、
前記円筒パイプ内に取り付けられ、下端部を前記角柱の下方部に係止されたコイルバネである」
ことを特徴としている。【００１０】○第４の考案（請求項４に記載の考案）
上記の課題を解決するための第４の考案（請求項４に記載の考案）は、
「前記角柱は、前記鏡本体裏面部の左右両側部の端縁より内側に立設されている」
ことを特徴としている。【００１１】○第５の考案（請求項５に記載の考案）
上記の課題を解決するための第５の考案（請求項５に記載の考案）は、
「前記円筒パイプの下端近傍には前記コイルバネに係止するための係止爪が形成されている」
ことを特徴としている。【００１２】○第６の考案（請求項６に記載の考案）
上記の課題を解決するための第６の考案（請求項６に記載の考案）は、
「前記角柱及び円筒パイプの素材がアルミ材である」
ことを特徴としている。
【考案の効果】
【００１３】  本考案に係る、自立型室内用大型鏡面体は、上記の特徴的構成要件から構成され、特徴的構成用件に応じた、以下のような本願考案特有の効果を奏する。また、上記のような特徴的構成要件から構成された自立型室内用大型鏡面体によれば、本願考案の課題を十分解消することができる。
○第１、第２及び第３の考案の効果
第１の考案によれば、
「アルミ材と合成樹脂からなる複合ミラー又は合成樹脂フィルム製ミラー等軽量かつ割れない大型の鏡本体と、
該鏡本体を天井面と床面に固定する固定手段と、
前記鏡本体の高さと該鏡本体を設置する室内の天井面との高さを調整する調整手段と、
を備えた」
という当業界では想到することが困難な特徴ある構成とし、
また、第２の考案によれば、
「前記固定手段が、
前記鏡本体裏面部の左右両側部に垂直状に取り付けられる２本の角柱と、
該角柱内で回転及び昇降可能に装着される両面接着テープ付き２本の円筒パイプと、
前記円筒パイプの上端に取り付けられた上部キャップ体と、
前記角柱の下端に取り付けられた下部キャップ体と」
からなるという当業界では想到することが困難な特徴ある構成とし、
さらに、第３の考案によれば、
「前記調整手段が、
前記円筒パイプ内に取り付けられ、下端部を前記角柱の下方部に係止されたコイルバネである」
という当業界では想到することが困難な特徴ある構成としているから、
室内における天井面と床面を利用し、構成部材をシンプルデザイン化し、コイルバネの付勢力で鏡面体を自立、固定させると共に、安全性、軽量化、製作コスト及び輸送コストの節減等が可能な、自立型室内用大型鏡面体の提供という、本考案の課題を解決することができた。すなわち、本願考案に係る大型鏡面体が設置された状態を、正面から見れば、視界に入るのは、主に鏡面部と天井面に固定された２本の円筒パイプであり、極めて、シンプルなデザインであり、どのような室内にも適合して何らの違和感を感じさせない。また鏡本体は、アルミ材と合成樹脂からなる複合ミラー又は合成樹脂フィルム製ミラー等軽量かつ割れないので、極めて安全であり、室内での設置や移設も簡便かつ容易に行うことができる。さらにキャスターや脚体がないので、室内の床面積を最大限に活用することができ、またコイルバネの付勢力で鏡面体を自立、固定させるので、例えば賃貸住宅等のように壁面、床等に穴を開けたり、釘等の使用が禁止されている室内でも、何ら問題なく、本願考案に係る大型鏡面体を設置することができる。さらに部品点数が少なく、構成部材がシンプルデザインであるために、製作コストの節減及び製品の梱包、搬送等の輸送コストの節減等の効果を奏することができた。【００１４】○第４の考案の効果
第４の考案によれば、
「前記角柱は、前記鏡本体裏面部の左右両側部の端縁より内側に立設されている」
という当業界では想到することが困難な特徴ある構成としているから、
例えば、ダンス教室又はエアロビック教室等の複数の大型鏡面体を設置するとき、そのつなぎ目が目立たないように密接して並設することができ、あたかも一枚の鏡面体のように設置することができる。【００１５】○第５の考案の効果
第５の考案によれば、
「前記円筒パイプの下端近傍には前記コイルバネに係止するための係止爪が形成されている」
という当業界では想到することが困難な特徴ある構成としているから、
円筒パイプは、その回転によりコイルバネに沿って円滑に角柱内を昇降し、かつコイルバネの付勢力（弾圧）により、鏡本体は上部キャップ体を介して天井面に固定される。【００１６】○第６の考案の効果
第６の考案によれば、
「前記角柱及び円筒パイプの素材がアルミ材である」
という当業界では想到することが困難な特徴ある構成としているから、
大型鏡面体の全体重量が軽量となり、設置等の作業性が良好であることはもちろん、例えば物流・搬送時においては梱包、積載、荷下ろし等の作業が迅速に行われる。
【考案を実施するための最良の形態】
【００１７】  以下、本考案に係る自立型室内用大型鏡面体に関する最良の実施形態について、図面を参照しながら説明する。図１は、本考案に係る自立型室内用大型鏡面体（以下、鏡面体Ｍ１という）を天井面と床面に設置した状態の一部省略した背面図、図２は、同側断面図、図３は、鏡面体Ｍ１を構成する各部材を分離して示す分解斜視図、図４は、図１におけるＡ部の拡大断面図、図５は、円筒パイプの係止爪とコイルバネの係止状態を示す斜視図、図６（イ）、（ロ）及び（ハ）は、コイルバネを円筒パイプに取り付ける他の実施態様を示す拡大断面図、図７（１）〜（３）は、鏡面体Ｍ１を天井面と床面に設置する手順を説明する側面図、図８は、鏡面体Ｍ１、鏡面体Ｍ２及び鏡面体Ｍを並設した状態を示す正面図である。【００１８】  図１〜図３に示すように、本考案に係る鏡面体Ｍ１は、全身を映せる大型の鏡本体１と、該鏡本体１を固定する固定手段及び鏡本体１と天井面Ｓとの高さを調整する調整手段とからなっている。固定手段は、鏡本体１の裏面部１ｂの左右両側部に垂直状に取り付けられる両面接着テープ付き２本の角柱２及び３と、該角柱２及び３に回転及び昇降可能に装着される２本の円筒パイプ４及び５と、該円筒パイプ４及び５の上端部に取り付けられた上部キャップ体４１及び５１と、角柱２及び３の下端部に嵌着された下部キャップ体２１及び３１とからなる。調整手段は、角柱２及び３内に取り付けられ、鏡本体１の上端と天井面Ｓの高さＨ１を調整するコイルバネ９及び１０である。【００１９】  鏡本体１は、アルミ材と合成樹脂からなる複合ミラー又は合成樹脂フィルム製ミラー等の軽量鏡体が主として使用される。ただし、ガラスミラーを選択して使用することもできる。図１に示すＨは、一般的家屋の室内における天井面Ｓと床面Ｆ間の高さ寸法で、約２４０ｃｍである。鏡本体１は、例えば、高さ寸法Ｌを約１８０ｃｍ〜２００ｃｍ、巾寸法Ｗを約９０ｃｍ〜１２０ｃｍとした長方形としている。図１におけるＣ１は、円筒パイプ４及び５内に装着されるコイルバネ９の長さ寸法で、例えば、約８０ｃｍとしている。ただし、室内における鏡本体１と天井面Ｓまでの高さ、例えば、Ｈ１の状況によって適宜変更できることはいうまでもない。本考案に係る鏡面体Ｍ１は、全身を写せるものであり、例えば、ジャズダンス、エアロビック教室、ヨガ教室、スポーツジム等におけるフォーム等の矯正、練習に利用されるものである。図２は、鏡面体Ｍ１を室内に設置したときの側断面図であり、Ｈ２は、高さ寸法Ｈ１より少なくとも大となるように伸長させる円筒パイプ５の伸長寸法である。図中Ｋは、室内の壁面で、鏡面体Ｍ１は、壁面Ｋに近接しての設置が可能であり、室内の床面積を最大限に活用することができる。【００２０】  角柱２及び３は、外形寸法が約３ｃｍ〜３．５ｃｍであり、平断面視、方形中空状のアルミ材からなり、その長さ寸法は、鏡本体１の高さ寸法Ｌとほぼ同寸とし、角柱２及び３の外面部に沿って取り付けられた両面接着テープ２ａ及び３ａ等を介し、鏡本体１の裏面部１ｂに垂直状に立設されている。角柱２及び３の長さは、室内の状況等によっては、鏡本体１の高き寸法Ｌより大とすることもある。各角柱２及び３は、図１に示すように、鏡���体１の裏面部１ｂにおける左右両側部の端縁１ｃ及び１ｄより僅かに隙間Ｗ１を設けて内側に立設されている。【００２１】  円筒パイプ４及び５は、鏡本体１を天井面Ｓに固定するための固定手段であり、各円筒パイプ４及び５の外径は、角柱２及び３の内径より小とされ、角柱２及び３内で回転及び昇降可能に装着されている。その素材は、角柱２及び３と同様にアルミ材からなっている。円筒パイプ４及び５の長さ寸法は、角柱２及び３よりやや短くなっている。各円筒パイプ４及び５の上端部には樹脂製の上部キャップ体４１及び５１が取り付けられている。また角柱２及び３の下端部には、鏡本体１と床面Ｆを固定する手段として硬質樹脂材からなる下部キャップ体２１及び３１が取り付けられている。図３〜図４に示すように、下部キャップ体２１及び３１の軸部上方には、開口部２１ａ及び３１ａが形成され、下部キャップ体２１及び３１の側部から開口部２１ａ及び３１ａに向けてコイルバネ９及び１０の下端部９ａ及び１０ａを係止する止めボルトＢ１及びＢ２の雌ねじ２１ｂ及び３１ｂが螺設されている。【００２２】  円筒パイプ４及び５内には、コイルバネ９及び１０が取り付けられている。図４及び図５に示すように、円筒パイプ４及び５の下端近傍の一部に電動カッター等により切溝４ａ及び５ａ（図示しない）が設けられ、該切溝４ａ及び５ａ（図示しない）をハンマー等で円筒パイプ４及び５の内面側に打ち曲げられ、係止爪４ｂ及び５ｂ（図示しない）が形成されている。図４及び図５に示すように該係止爪４ｂには、コイルバネ９が係止されている。【００２３】  図６（イ）において、６はボルト、６１はナットで角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にボルト６を挿通し、ナット６１で固定することができる。【００２４】  図６（ロ）において、７はかしめ用ボルトで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内にかしめ用ボルト７を挿通し、角柱２の貫通孔２ｈから突出した先端部７１を、ハンマー等で打ちつけ固定することができる。【００２５】  図６（ハ）において、８は割りピンで、角柱２と円筒パイプ４の下方には、それぞれ角柱２の貫通孔２ｈ、２ｈと円筒パイプ４の貫通孔４ｈ、４ｈが穿設されている。コイルバネ９を円筒パイプ４に係止、固定するには、コイルバネ９の下端部９ａに設けられた開口９ｂ内に割りピン８を挿通し、角柱２の貫通孔２ｈから突出した切り割り部８１を、ドライバー等で拡開して固定することができる。【００２６】  次に、鏡面体Ｍ１の各部品の組立、設置等について、図３他を参照して説明する。まずコイルバネ９の下端部９ａを下部キャップ体２１の開口部２１ａに挿入する。コイルバネ９の下端部９ａはリング状の開口９ｂとなっている（図４及び図５参照）。次に止めボルトＢ１を下部キャップ体２１の雌ねじ２１ｂにねじ込み、コイルバネ９の開���９ｂ内に係止する。これにより、コイルバネ９は下部キャップ体２１に固定される。続いてコイルバネ９の上端部９ｂに円筒パイプ４の係止爪４ｂを当接させ、円筒パイプ４を逆回転（時計と逆回り）させてコイルバネ９の下端部９ａ近傍まで下降させておく。【００２７】  さらに、コイルバネ１０の下端部１０ａを下部キャップ体３１の開口部３１ａに挿入する。コイルバネ１０の下端部１０ａはリング状の開口１０ｂとなっている。次に止めボルトＢ２を下部キャップ体３１の雌ねじ３１ｂにねじ込み、コイルバネ１０の開口１０ｂ内に係止する。これにより、コイルバネ１０は下部キャップ体３１に固定される。続いてコイルバネ１０の上端部１０ｂに円筒パイプ５の係止爪５ｂを当接させ、円筒パイプ５を逆回転（時計と逆回り）させてコイルバネ１０の下端部１０ａ近傍まで下降させておく。【００２８】  角柱２は、両面接着テープ２ａの離型紙を剥離し、鏡本体１の裏面部１ｂの側部に垂直状に取り付ける。このとき端縁１ｃより僅かに隙間Ｗ１を設けて内側に設置する。また、角柱３は、両面接着テープ３ａの離型紙を剥離し、鏡本体１の裏面部１ｂの側部に垂直状に取り付ける。このとき端縁１ｄより僅かに隙間Ｗ１を設けて内側に設置する。【００２９】  コイルバネ９及びコイルバネ１０を内部に装着した円筒パイプ４及び５は、それぞれ鏡本体１の裏面部１ｂに設置された角柱２及び３の下端部に円筒パイプ４及び５の上端４ｃを当接させてから徐々に挿入した後、下部キャップ体２１及び３１をそれぞれ角柱２及び３の下端部にハンマー等により、打ち込んで固定する。続いて上部キャップ体４１及び５１を、円筒パイプ４及び５の上端部４ｃ及び５ｃ内にハンマー等により、打ち込み、鏡本体１と各部材の組立作業は終了する。【００３０】  図７（１）〜（３）は、鏡面体Ｍ１を床面Ｆと天井面Ｓに立設する手順を示している。設置に際しては、鏡本体１と天井面Ｓの空間寸法Ｈ１をあらかじめ目測し、図７（１）に示すように、鏡面体Ｍ１を手前側に引いて、左右の円筒パイプを手動により右回転させて、鏡本体１と天井面Ｓとの高さ寸法Ｈ１より大（図７（２）に示すＨ２）となるように伸長しておき、両腕で左右の円筒パイプ４及び５をいったん下方に引き下げ（矢印のＤ）たまま、鏡面体Ｍ１を前方に起こしていき（矢印のＵＰ）、鏡面体Ｍ１が垂直状になったとき、両腕を左右の円筒パイプ４及び５から同時に離すと、左右の円筒パイプ４及び５は、コイルバネの付勢力（弾圧）で天井面Ｓに当接し、鏡面体Ｍ１は自立して固定される（図７（３））。【００３１】  自立している鏡面体Ｍ１を取り外したり、移設するときは、左右の円筒パイプ４及び５を両腕で把持し、これを下方に引き下げて手前側に引き寄せれば、簡単に鏡面体Ｍ１は天井面Ｓから離すことができる。したがって、本考案に係る鏡面体Ｍ１は、鏡本体１と天井面Ｓとの高さ調整を左右の円筒パイプ４及び５の回転のみによって行うから、例えば、ジャズダンス又はエアロビック教室、着物着付け教室等はもちろん、一般家庭住宅、特に賃貸住宅等において、壁面に穴を穿設したり接着ボンド等を使うことなく設置、移設等が簡便にでき、またその操作も容易であり、各種工具類も不要であり、非力な女性や中高生でも鏡面体Ｍ１を短時間で設置、移設することができる。【００３２】  図８は、室内に複数の鏡面体Ｍ１、鏡面体Ｍ２及び鏡面体Ｍ３を並設した状態を示している。例えば、ジャズダンス又はエアロビック教室のように、比較的床面積が広い室内においては、複数の鏡面体を配設する場合がある。このようなとき、図１に示すように、鏡本体１の裏面部１ｂにおける左右両側部の端縁１ｃ及び１ｄより僅かに隙間Ｗ１を設けて内側に立設されているので、鏡面体Ｍ１、鏡面体Ｍ２及び鏡面体Ｍ３は互いに密接して並設されているので、あたかも一枚の鏡面体が自立している感じを付与し、室内での各プレーヤー等にはなんらの違和感を感じさせることなく、各種の動きやフォーム等を円滑に行うことができる。
【図面の簡単な説明】
【００３３】
【図１】は、本考案に係る、鏡面体Ｍ１を天井面と床面に設置した状態の一部省略した背面図である。
【図２】は、同側断面図である。
【図３】は、鏡面体Ｍ１を構成する各部材を分離して示す分解斜視図である。
【図４】は、図１におけるＡ部の拡大断面図である。
【図５】は、円筒パイプの係止爪とコイルバネの係止状態を示す斜視図である。
【図６】（イ）〜（ハ）は、コイルバネを円筒パイプに取り付ける他の実施態様を示す拡大断面図である。
【図７】（１）〜（３）は、鏡面体Ｍ１を天井面と床面に設置する手順を説明する側面図である。
【図８】は、鏡面体Ｍ１、鏡面体Ｍ２及び鏡面体Ｍを並設した状態を示す正面図である。
【符号の説明】
【００３４】Ｍ１、Ｍ２、Ｍ３鏡面体
Ｓ              天井面
Ｆ              床面
Ｋ              壁面
Ｈ              天井面Ｓと床面Ｆ間の高さ寸法
Ｌ              鏡本体の高さ寸法
Ｗ              鏡本体の巾寸法
Ｃ              コイルバネの長さ寸法
Ｈ１            鏡本体と天井面までの高さ
Ｈ２            円筒パイプの伸長寸法
Ｗ１            隙間
Ｂ１、Ｂ２      ボルト
１              鏡本体
２、３          角柱
４、５          円筒パイプ
９、１０        コイルバネ
２１、３１      下部キャップ体
４１、５１      上部キャップ体
１ａ            鏡面部
１ｂ            裏面部
１ｃ、１ｄ      端縁
２ａ、３ａ      両面接着テープ
４ａ、５ａ      切溝
４ｂ、５ｂ      係止爪
９ａ、１０ａ    下端部
２１ａ、３１ａ  開口部
２１ｂ、３１ｂ  雌ねじ